(57)【特許請求の範囲】
【請求項１】
複数の入力情報の中から選択した入力情報を内部回路で処理する情報処理装置において、
装置筐体に設けられ、前記複数の入力情報が各々供給される複数の入力端子と、
前記複数の入力端子の直後に設けられ、前記複数の入力端子に供給される各入力情報の有無を各々検出する入力検出部と、
前記複数の入力情報の中から処理の対象となる入力情報を指示する選択情報を入力する入力選択部と、
前記入力検出部の検出結果と前記入力選択部の選択情報とに基づいて、有効とされる入力端子を前記内部回路と接続するとともに無効とされる入力端子を前記内部回路と遮断する遮断部とを備え、
前記各入力端子は信号線とグランド線とを備えており、前記遮断部は、無効とされる入力端子を内部回路と遮断する際に、少なくとも前記信号線を遮断することを特徴とする情報処理装置。
【請求項２】
複数の入力情報の中から選択した入力情報を内部回路で処理する情報処理装置において、
装置筐体に設けられ、前記複数の入力情報が各々供給される複数の入力端子と、
前記複数の入力端子の直後に設けられ、前記複数の入力端子に供給される各入力情報の有無を各々検出する入力検出部と、
前記複数の入力情報の中から処理の対象となる入力情報を指示する選択情報を入力する入力選択部と、
前記入力検出部の検出結果と前記入力選択部の選択情報とに基づいて、処理の対象となる入力情報が前記入力検出部によって検出されない場合には全ての入力端子を無効とし、処理の対象となる入力情報が前記入力検出部によって検出される場合には当該入力情報に対応する入力端子のみを有効にする制御情報を生成する制御部と、
前記制御情報に基づいて、有効とされる入力端子を前記内部回路と接続するとともに無効とされる入力端子を前記内部回路と遮断する遮断部とを備え、
前記各入力端子は信号線とグランド線とを備えており、前記遮断部は、無効とされる入力端子を内部回路と遮断する際に、少なくとも前記信号線を遮断することを特徴とする情報処理装置。
【請求項３】
前記複数の入力情報は各々画像信号であり、前記内部回路はデジタル処理によって画像処理を行い、前記画像信号の周波数帯域と前記内部回路から放射されるノイズの周波数帯域とが近接または重複することを特徴とする請求項１または２に記載の情報処理装置。
【請求項４】
前記遮断部は、リレーを用いて構成されていることを特徴とする請求項１または２に記載の情報処理装置。
【請求項５】
前記遮断部は、半導体素子を用いて構成されていることを特徴とする請求項１または２に記載の情報処理装置。
【請求項６】
請求項１〜５いずれかに記載の情報処理装置と、
光源と、前記光源から出射された光束を光学的に処理して画像情報に応じた光学像を形成する光学系と、前記光学系で形成される画像を拡大投射する投射レンズと、前記光学系を構成する光変調装置を駆動制御する光変調装置駆動手段とを備えたことを特徴とするプロジェクタ。
【発明の詳細な説明】
【０００１】
【発明の属する技術分野】
本発明は、複数の入力情報の中から選択した入力情報を内部回路で処理する情報処理装置において、特に、各入力情報を供給する各接続ケーブルから放射される不要輻射ノイズを低減するのに好適な情報処理装置に関する。
【０００２】
【従来の技術】
ビデオプロジェクタや映像信号記録再生装置のように入力画像信号を取り込んで処理する情報処理装置にあっては、多様な信号形式に対応するため、複数の入力端子を備えるものがある。例えば、ビデオプロジェクタでは、コンポジット形式の画像信号を入力する入力端子、輝度信号と色信号とに分離されたコンポーネント形式の信号を入力するＳ端子の他、パーソナルコンピュータから出力されるＲＧＢ信号を入力する入力端子を備えるものがある。
【０００３】
図１１は、従来のビデオプロジェクタにおける内部配線の概略を示す模式図である。この図に示すように、各入力端子ＩＮ１〜ＩＮ３には接続ケーブルＣａ１〜Ｃａ３を介して入力信号が供給される。供給された各入力信号は、入力端子ＩＮ１〜ＩＮ３から信号処理基板１０までの間を同軸ケーブルＣｂ１〜Ｃｂ３を用いて引き回されるようになっている。そして、信号処理基板１０に供給された各信号は、当該基板上に設けられたスイッチ回路２０によって選択され、信号処理回路３０に供給されるになっている。この信号処理回路３０はスイッチ回路２０によって選択された入力信号にデジタル処理を施して液晶パネルを駆動するための制御信号や画像データの他、液晶パネルのドットに対応したメインクロック信号を生成している。
【０００４】
このメインクロック信号の周波数は１０２４ドット×７６８ドットのＸＧＡ方式の場合、略６６ＭＨｚとなる。また、信号処理回路３０は、このメインクロック信号を分周した各種のクロック信号を生成し、これらに同期してデジタル処理を行っている。したがって、ビデオプロジェクタの内部では、各種クロック信号の周波数あるいはその高調波周波数と一致する周波数のノイズが大レベルで存在する。具体的には、周波数帯域が数ＭＨｚ〜数百ＭＨｚのノイズである。
【０００５】
このようなノイズが装置外部に漏れ出ると、他の機器に悪影響を与えることから、装置外部から漏れ出るノイズレベルは当該装置にとって重要な性能である。このため、ＥＭＩ（Electro Magenetic Interferecnce）とよばれる電磁妨害放射規制が各種規格化されている。ＥＭＩでは主として３０ＭＨｚ〜１０００ＭＨｚの周波数帯域において、他の電子機器への妨害を排除するために電子機器から漏れ出る電磁気的雑音（電波）の放射、伝搬が規制されている。
【０００６】
ノイズレベルは、装置の筐体内面をシールドする等のノイズ対策によって低減することができるが、ノイズの最も大きな要素の一つとして、接続ケーブルＣａ１〜Ｃａ３からの不要輻射がある。この不要輻射ノイズはビデオプロジェクタ内部において、回路から発生したノイズが回路基板と同軸ケーブルＣｂ１〜Ｃｂ３の接続点を通じて同軸ケーブルに逆流したり、回路から放射されたノイズが同軸ケーブルＣｂ１〜Ｃｂ３に飛び込み、接続ケーブルＣａ１〜Ｃａ３を介して装置外部に放射される。すなわち、接続ケーブルＣａ１〜Ｃａ３がノイズを放射するアンテナとして作用することになる。
【０００７】
このため、接続ケーブルＣａ１〜Ｃａ３から外部へ放射されるノイズ、あるいは、接続ケーブルＣａ１〜Ｃａ３を介して装置に入力されるノイズを減衰させる技術として、図１２に示すように入力端子ＩＮ１〜ＩＮ３の信号線とグランド線にフェライトビーズ等のノイズフィルタＦを各々挿入することによって、高周波成分を減衰させるものが開発されている。この技術によれば、ノイズフィルタＦの特性に応じて、接続ケーブルＣａ１〜Ｃａ３から漏れ出るノイズを低減させることができる。
【０００８】
【発明が解決しようとする課題】
しかしながら、入力信号の周波数帯域とノイズの周波数帯域が重なっていたり、あるいは、近接していると、上述したノイズフィルタＦを用いてノイズを低減させることが困難になる。
【０００９】
例えば、上述した例では、ノイズの周波数帯域が数ＭＨｚ〜数百ＭＨｚであるのに対して、パーソナルコンピュータから供給される画像信号の周波数帯域は、１００ＭＨz程度であるので、信号とノイズの周波数帯域が重なってしまう。このため画像入力端子の後にノイズフィルタＦを設けると、画像信号のレベルが高周波帯域で減衰してしまうため、表示画像の解像度が劣化してしまう。
【００１０】
また、映像信号記録再生装置等から供給される映像信号の周波数帯域は６ＭＨｚ程度であるから、信号とノイズの周波数帯域が近接、あるいは一部重複したものになる。信号とノイズの周波数帯域が近接している場合には、それらの境目の周波数で急峻な減衰特性を持つノイズフィルタＦを用いることによって、ノイズを除去することができる。しかし、ある周波数を境としてそれ以上では遮断、それ以下では通過といった理想的な特性を持つノイズフィルタＦは実現することができない。このため、実際のノイズフィルタＦの特性は、図１３に示すように、映像信号の周波数帯域（６ＭＨｚ以下）から徐々に減衰が始まるような特性となっている。したがって、上述した場合と同様に入力される映像信号の品質が劣化するといった問題がある。
【００１１】
本発明は上述した事情に鑑みてなされたものであり、入力信号の品質を維持したまま、接続ケーブルから放射される不要輻射ノイズを大幅に削減することを目的とする。
【００１２】
【課題を解決するための手段】
上記目的を達成するため、本発明の情報処理装置は、複数の入力情報の中から選択した入力情報を内部回路で処理するものにおいて、装置筐体に設けられ、前記複数の入力情報が各々供給される複数の入力端子と、前記複数の入力端子の直後に設けられ、前記複数の入力端子に供給される各入力情報の有無を各々検出する入力検出部と、前記複数の入力情報の中から処理の対象となる入力情報を指示する選択情報を入力する入力選択部と、前記入力検出部の検出結果と前記入力選択部の選択情報とに基づいて、有効とされる入力端子を前記内部回路と接続するとともに無効とされる入力端子を前記内部回路と遮断する遮断部とを備え、前記各入力端子は信号線とグランド線とを備えており、前記遮断部は、無効とされる入力端子を内部回路と遮断する際に、少なくとも前記信号線を遮断することを特徴とする。
【００１３】
この発明によれば、遮断部は無効とされる入力端子を内部回路と遮断するから、遮断部の後段にノイズが流入したり飛び込んだとしても、当該ノイズは遮断部によって遮断される。しかも、遮断部は各入力端子の直後に設けられているから、各入力端子から遮断部までの配線距離を極短いものとすることができるので、その間に飛び込むノイズは殆どなくなる。この結果、無効とされる入力端子に接続される接続ケーブルを介して放射される不要輻射ノイズを大幅に削減することが可能となる。加えてこの発明の場合には、信号線のみを遮断する態様と、信号線とグランド線を遮断する態様とがあるが、前者は遮断部の構成を簡易にすることができ、後者はグランド線から放射される不要輻射ノイズをさらに低減することが可能となる。
【００１４】
複数の入力情報の中から選択した入力情報を内部回路で処理するものにおいて、装置筐体に設けられ、前記複数の入力情報が各々供給される複数の入力端子と、前記複数の入力端子の直後に設けられ、前記複数の入力端子に供給される各入力情報の有無を各々検出する入力検出部と、前記複数の入力情報の中から処理の対象となる入力情報を指示する選択情報を入力する入力選択部と、前記入力検出部の検出結果と前記入力選択部の選択情報とに基づいて、処理の対象となる入力情報が前記入力検出部によって検出されない場合には全ての入力端子を無効とし、処理の対象となる入力情報が前記入力検出部によって検出される場合には当該入力情報に対応する入力端子のみを有効にする制御情報を生成する制御部と、前記制御情報に基づいて、有効とされる入力端子を前記内部回路と接続するとともに無効とされる入力端子を前記内部回路と遮断する遮断部とを備え、前記各入力端子は信号線とグランド線とを備えており、前記遮断部は、無効とされる入力端子を内部回路と遮断する際に、少なくとも前記信号線を遮断することを特徴とする。
【００１５】
この発明によれば、処理の対象となる入力情報が入力検出部によって検出されない場合には全ての入力端子が無効とされ、内部回路に接続されない。したがって、処理の対象となる入力情報に対応した入力端子に接続される接続ケーブルを介して放射される不要輻射ノイズを大幅に削減することが可能となる。さらに、当該入力情報が入力検出部によって検出された場合には、自動的に、当該入力情報が供給される入力端子が有効となって内部回路と接続することができ、内部回路の処理を開始することが可能となる。
【００１６】
上述した情報処理装置において、前記複数の入力情報は各々画像信号であり、前記内部回路はデジタル処理によって画像処理を行い、前記画像信号の周波数帯域と前記内部回路から放射されるノイズの周波数帯域とが近接または重複するものであってもよい。信号の周波数帯域とノイズの周波数帯域とが近接または重複している場合に、各入力端子にノイズフィルタを挿入することによって不要輻射ノイズを除去するとノイズフィルタの特性に応じて画像信号が劣化するが、この発明によれば、遮断部によって不要輻射ノイズを除去するので、画像信号の品質を維持することができる。
【００１８】
また、上述した情報処理装置において、前記遮断部はリレーを用いて構成することが望ましい。ダイオードやトランジスタ等のスイッチング素子を用いて遮断部を構成することも可能であるが、スイッチング素子がオフしたとしても内部で容量結合があるため、ある程度ノイズの漏れが生じる。一方、リレーの結合容量値は極めて小さいので、遮断特性を向上させることが可能である。
【００１９】
【発明の実施の形態】
以下、本発明の実施の形態について図面を参照して説明する。
【００２０】
＜１．画像表示システム＞
図１は、本発明に係る情報処理装置の一例であるビデオプロジェクタを用いた画像表示システムのブロック図である。
【００２１】
この図に示すよう画像表示システムは、パーソナルコンピュータＰＣ１,ＰＣ２、映像信号記録再生装置ＶＴＲ、モニタＭ、ビデオプロジェクタＰＪ、およびスクリーンＳから大略構成されており、ビデオプロジェクタＰＪとこれらの周辺機器は、接続ケーブルＣ１〜Ｃ５によって接続されている。
【００２２】
この例のパーソナルコンピュータＰＣ１,ＰＣ２は、ＸＧＡ方式に対応しており、コンポーネント形式のアナログＲＧＢ信号RGB1,RGB2を出力するように構成されている。また、映像信号記録再生装置ＶＴＲは、コンポジット形式の複合映像信号Ｖと、コンポーネント形式の輝度信号Ｙおよび色信号Ｃとを出力するように構成されている。さらに、モニタＭはビデオプロジェクタＰＪから出力されるアナログＲＧＢ信号を表示するようになっている。くわえて、ビデオプロジェクタＰＪは接続ケーブルＣ１〜Ｃ４から供給される入力信号を選択して、選択した入力信号に画像処理を施し、処理済みの画像信号に基づいて液晶パネルを駆動し、スクリーンＳに画像を表示するように構成されている。
【００２３】
＜２．ビデオプロジェクタ＞
＜２−１：ビデオプロジェクタの機械構成＞
次に、ビデオプロジェクタＰＪについて詳細に説明する。図２は、ビデオプロジェクタの機械的な構成例を示す平面図である。
【００２４】
この図に示すように、ビデオプロジェクタＰＪの内部には、ハロゲンランプ等の白色光源からなるランプユニット１１０２が設けられている。このランプユニット１１０２から射出された投射光は、ライトガイド１１０４内に配置された複数のミラー１１０６、１１０６、……および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。また、ビデオプロジェクタＰＪの入力信号の選択は、装置上面に設けられた入力選択スイッチ（図示せず、入力選択部に相当）あるいは赤外線リモコン（図示せず、入力選択部に相当）によって行われるようになっている。
【００２５】
液晶パネル１１１０Ｒ、１１１０Ｂおよび１１１０Ｇは、後述する画像処理回路から供給されるＲ、Ｇ、Ｂの原色信号でそれぞれ駆動される。さて、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーンＳにカラー画像が投写されることとなる。
【００２６】
＜２−２：ビデオプロジェクタの電気構成＞
次に、図３は、ビデオプロジェクタの電気的な構成の主要部を示すブロック図である。この図に示すように、ビデオプロジェクタＰＪは、入力端子ＣＮ１〜ＣＮ４と出力端子ＯＵＴを備えている。これらの端子群は、ビデオプロジェクタＰＪの背面パネルに取り付けられている。本実施形態において入力端子とは、装置の内部回路において処理の対象となる信号（情報）が供給される端子をいう。なお、ディスプレイモニタでは、パーソナルコンピュータから所定の信号を受け取ると、ディスプレイモニタの表示性能を示すデータを返送するものがある。そのようなディスプレイモニタをモニタＭとして使用する場合には、モニタＭからデータが返送されるが、このデータは、ビデオプロジェクタＰＪの内部に取り込まれないので、出力端子ＯＵＴが入力端子として作用することはない。
【００２７】
まず、入力端子ＣＮ１,ＣＮ２は、Ｄ−ＳＵＢ形式のコネクタであり、接続ケーブルＣ１,Ｃ２を介してパーソナルコンピュータＣ１,Ｃ２と接続されるようになっている。また、入力端子ＣＮ１の各ピンは出力端子ＯＵＴの各ピンと各々接続されている。また、出力端子ＯＵＴは、接続ケーブルＣ５を介してモニタＭと接続されている。したがって、パーソナルコンピュータＰＣ１から供給されるアナログＲＧＢ信号RGB1は、入力端子ＣＮ１と出力端子ＯＵＴとを介してモニタＭに供給される。
【００２８】
また、入力端子ＣＮ３はＹＣ分離入力用のＳ端子であり、接続ケーブルＣ３を介して映像信号記録再生装置ＶＴＲと接続されている。この端子に供給される信号は、輝度信号Ｙと色信号Ｃに分離されて入力されるので、信号線は２回路必要になる。このため、入力端子ＣＮ３として４ピンのミニＤＩＮコネクタが用いられる。この入力端子ＣＮ３を利用する場合には、ビデオプロジェクタＰＪの内部で複合映像信号Ｖを輝度信号Ｙと色信号Ｃとに分離する必要がないので、分離に伴う画質劣化が発生せず、より鮮明な画像を表示することが可能となる。また、入力端子ＣＮ４は複合映像信号Ｖが供給されるピンプラグであり、接続ケーブルＣ３を介して映像信号記録再生装置ＶＴＲと接続されている。
【００２９】
次に、ビデオプロジェクタＰＪは、遮断回路１００、選択回路２００、画像処理回路３００および制御回路４００を備えている。
【００３０】
この遮断回路１００は、各入力端子ＣＮ１〜ＣＮ４に近接して背面パネルの内周に設けられており、制御回路１００から供給される制御信号ＣＴＬ１〜ＣＴＬ４に基づいて、各入力端子と後段の回路との接続を遮断するように構成されている。なお、遮断回路１００の詳細構成については後述する。
【００３１】
また、選択回路２００は、画像信号処理回路３００とともにメイン基板上に設けられており、遮断回路１００を介して供給される信号を選択して画像処理回路３００に供給するように構成されている。画像処理回路３００は、選択回路２００から供給される信号に画像処理を施して液晶パネル１１１０Ｒ,１１１０Ｇ,１１１０Ｂを駆動する画像信号Ｒ，Ｇ，Ｂを生成する。
【００３２】
また、制御回路４００は、上述した入力選択スイッチあるいは赤外線リモコンによって入力される選択指示に基づいて、制御信号ＣＴＬ１〜ＣＴＬ４,ＣＴＬを生成し、制御信号ＣＴＬ１〜ＣＴＬ４を遮断回路１００に供給するとともに、制御信号ＣＴＬを選択回路２００および画像処理回路３００に出力する。ここで、制御信号ＣＴＬ１〜ＣＴＬ４は、各入力端子ＣＮ１〜ＣＮ４に対応する１ビットの信号であって、Ｈレベルで入力信号が有効、Ｌレベルで入力信号が無効を指示する。また、制御信号ＣＴＬは２ビットの信号であって、スクリーンＳに表示すべき画像が供給される入力端子を特定する。
【００３３】
以上の構成によって、ユーザが入力選択スイッチ等を操作して有効にすべき入力端子を指示すると、制御回路４００は制御信号ＣＴＬ１〜ＣＴＬ４を生成する。この後、遮断回路１００は、制御信号ＣＴＬ１〜ＣＴＬ４に従って無効とする各入力端子と選択回路２００との接続を遮断する。これにより、無効となった入力端子の配線は、背面パネルの内周に取り付けられた遮断回路１００によって開放されることになるから、これらの入力端子に接続された接続ケーブルから放射される不要輻射ノイズを大幅に低減することができる。
【００３４】
＜２−２−１：遮断回路の構成＞
さてここで、遮断回路１００の具体的な４つの構成例について図面を参照しつつ説明する。なお、各入力端子ＣＮ１〜ＣＮ４に接続される遮断回路１００の回路構成は同一であるから、以下の説明では、入力端子ＣＮ４に接続されるものについてのみ説明し、他のものの説明を省略する。
【００３５】
（１）第１の態様
図４は第１の態様にかかる遮断回路の回路図である。この例の遮断回路１００は２回路のリレー１１０,１２０から構成されている。リレー１１０は、入力端子ＣＮ１の信号線Ｌ１と接続される端子１１１、可動片１１２、および信号線Ｌ２と可動片１１２とが接続される端子１１３から構成されている。また、リレー１２０もリレー１１０と同様に端子１２１、可動片１２２および端子１２３を備えている。
【００３６】
ここで、可動片１１２,１２２は、制御信号ＣＴＬ１が有効を指示するＨレベルの場合には、端子１１１,１２１を端子１１３,１２３に各々接続し、制御信号ＣＴＬ１が無効を指示するＬレベルの場合には、開放状態となる。したがって、入力端子ＣＮ１に供給される複合映像信号ＶをスクリーンＳに表示する場合にのみ、接続ケーブルＣ４は内部回路と接続され、それ以外の場合には、接続ケーブルＣ４は開放状態となる。
【００３７】
（２）第２の態様
図５は第２の態様にかかる遮断回路の回路図である。この例の遮断回路１００は上述したリレー１１０,１２０を電子回路に置き換えたものである。
【００３８】
この例の信号線Ｌ１は、コンデンサ１３１、ダイオード１３２、およびコンデンサ１３３を介して信号線Ｌ２に接続されている。また、抵抗１３４の一端には制御信号ＣＴＬ１が供給され、その他端はダイオード１３２のアノードに接続されている。くわえて、ダイオード１３２のカソードは抵抗１３５を介して接地されている。
【００３９】
また、この例のグランド線ＧＮＤ１はダイオード１４１を介してグランド線ＧＮＤ２と接続されるとともに接地されており、ダイオード１４１のアノードには抵抗１４２を介して制御信号ＣＴＬ１が供給されるようになっている。
【００４０】
なお、入力端子ＣＮ４に供給される複合映像信号Ｖの伝送インピーダンスは７５オームに設定してあるのに対して、抵抗１３４,１３５,１４２の抵抗値は数Ｋオームに設定してある。このため、複合映像信号Ｖの伝送に際して反射・減衰等の問題は発生しない。
【００４１】
このような構成において、Ｈレベルの制御信号ＣＴＬ１が遮断回路１００に供給されると、抵抗１３４,１３５,１４２を介してダイオード１３２,１４１に順方向のバイアス電流が各々流れるので、ダイオード１３２,１４１はオン状態となり信号線Ｌ１とＬ２、およびグランド線ＧＮＤ１とＧＮＤ２が、各々接続される。一方、Ｌレベルの制御信号ＣＴＬ１が遮断回路１００に供給されると、ダイオード１３２,１４１は逆バイアスされオフ状態となるので、信号線Ｌ１とグランド線ＧＮＤ１は、信号線Ｌ１とグランド線ＧＮＤ２に対して各々開放されることになる。
【００４２】
この場合には、遮断回路１００を電子回路で構成することができるので、第１の態様と比較して小型化が可能であり、さらにコストを削減することができる。ただし、ダイオード１３２,１４１が逆バイアスされると、ＰＮ接合部分に空亡層が生じ微少ながら容量が発生するため、オフ特性（遮断特性）は上述したリレー１１０,１２０の方が優れている。
【００４３】
（３）第３の態様
上述した第１および第２の態様では、信号線Ｌ１とグランド線ＧＮＤ１の各々を遮断するようにしたが、グランド線ＧＮＤ１,ＧＮＤ２のインピーダンスが十分低ければ、グランド線ＧＮＤ１を介してノイズが漏れ出ることはない。第３の態様はそのような場合に好適な構成例である。
【００４４】
図６は第３の態様にかかる遮断回路の回路図である。遮断回路１００は、信号線Ｌとグランド線ＧＮＤとの間に、リレー１５０とコンデンサ１５１とを直列に接続した構成となっている。なお、リレー１５０は、上述したリレー１１０,１２０と同様に構成されており、この例の制御信号ＣＴＬ１はＬレベルで有効を指示し、Ｈレベルで無効を指示するものとする。
【００４５】
このような構成において、Ｌレベルの制御信号ＣＴＬ１が遮断回路１００に供給されると、リレー１５０が開放状態となり、複合映像信号Ｖが選択回路２００に供給される。一方、Ｈレベルの制御信号ＣＴＬ１が遮断回路１００に供給されると、リレー１５０が接続状態となり、信号線Ｌが交流的にグランド線ＧＮＤに接地され、これにより、接続ケーブルＣ４は内部回路と遮断される。
【００４６】
（４）第４の態様
図７は第４の態様にかかる遮断回路の回路図である。この例の遮断回路１００は上述したリレー１５０を電子回路に置き換えたものである。
【００４７】
この遮断回路１００は、信号線Ｌとグランド線ＧＮＤとの間に、コンデンサ１６１とダイオード１６２を直列に接続するとともに、抵抗１６３を介してダイオード１６２のアノードに制御信号ＣＴＬ１が供給されるように構成されている。なお、この例の制御信号ＣＴＬ１はＬレベルで有効を指示し、Ｈレベルで無効を指示するものとする。
【００４８】
このような構成において、Ｌレベルの制御信号ＣＴＬ１が遮断回路１００に供給されると、ダイオード１６２はオフ状態となり、複合映像信号Ｖが選択回路２００に供給される。一方、Ｈレベルの制御信号ＣＴＬ１が遮断回路１００に供給されると、ダイオード１６２に順方向電流が流れるためダイオード１６２はオン状態となる。したがって、信号線Ｌが交流的にグランド線ＧＮＤに接地され、これにより、接続ケーブルＣ４は内部回路と遮断される。
【００４９】
＜２−３：ビデオプロジェクタの動作＞
次に、ビデオプロジェクタＰＪの動作を説明する。なお、この例では、図１に示すように周辺装置とビデオプロジェクタＰＪが接続ケーブルＣ１〜Ｃ５を介して各々接続されており、当初は入力端子ＣＮ１が有効である状態であり、この後、ユーザが入力選択スイッチを操作して有効な入力端子をＣＮ１からＣＮ２に切り換えるものとする。
【００５０】
まず、入力端子ＣＮ１が有効な状態では、制御信号ＣＴＬ１が有効を指示し、他の制御信号ＣＴＬ２〜ＣＴＬ４は無効を指示することになる。このため、遮断回路１００は入力端子ＣＮ１のみを選択回路２００と接続し、他の入力端子ＣＮ２〜ＣＮ４は、開放されることになる。したがって、遮断回路１００と選択回路２００とを接続するケーブルに回路からのノイズが逆流したり、回路から放射されたノイズが飛び込んだとしても、遮断回路１００によって入力端子ＣＮ２〜ＣＮ４は選択回路２００と分離されることになるから、接続ケーブルＣ２〜Ｃ４を介して放射される不要輻射ノイズは殆どなくなる。
【００５１】
また、遮断回路１００によって、各入力端子ＣＮ１〜ＣＮ４と選択回路２００とを分離するようにしたので、信号線にノイズフィルタを設ける必要がないので、ノイズの周波数帯域と信号の周波数帯域とが重複していたり、あるいは両者が近接している場合であっても、ノイズフィルタの特性による信号劣化が原理的に起こらない。
【００５２】
次に、選択回路２００は、遮断回路１００と接続される各ケーブルを制御信号ＣＴＬに基づいて選択する。この例では、入力端子ＣＮ１に対応するケーブルが選択され、アナログＲＧＢ信号RGB1が画像処理回路３００に供給される。すると、画像処理回路３００はアナログＲＧＢ信号RGB1にガンマ補正等を施して、３原色の画像信号Ｒ,Ｇ,Ｂを生成し、これを各液晶パネルに出力する。
【００５３】
次に、ユーザが入力選択スイッチを操作して有効な入力端子をＣＮ１からＣＮ４に切り換えると、制御回路４００はこのソース切換を検知して、有効を指示する制御信号ＣＴＬ４と無効を指示する制御信号ＣＴＬ１〜ＣＴＬ３を生成する。図８は制御信号の切換動作を示すタイミングチャートである。同図において、時刻Ｔ１は、制御回路４００がソース切換を検知したタイミングであり、この時点で、制御信号ＣＴＬ１は有効から無効に切り替わる。一方、制御信号ＣＴＬ４は、時刻Ｔ１から所定期間（100msec程度）が経過した時刻Ｔ２において、無効から有効に切り替わることになる。このように、ソース切換のタイミングから遅れて入力端子ＣＮ４を有効にしたのは、以下の理由による。すなわち、仮にソース切換時刻Ｔ１と同時に制御信号ＣＴＬ１,ＣＴＬ４を切り換えるものとすれば、瞬間的に接続ケーブルＣ１,Ｃ４が選択回路２００と同時に接続されることになる。このため、接続ケーブルＣ１,Ｃ４から放射される不要輻射ノイズがパルス的に増大することになるが、上述したように無効から有効に切り替わる制御信号を遅延させることにすれば、同時接続が起こらないので、パルス的な不要輻射ノイズの発生を防止することができるからである。
【００５４】
こうして、入力端子ＣＮ４が選択されると、複合映像信号Ｖが選択回路２００を介して画像処理回路３００に供給される。すると、画像処理回路３００は複合映像信号Ｖを輝度信号Ｙと色信号Ｃとに分離し、これらの信号に基づいて３原色の画像信号Ｒ,Ｇ,Ｂを生成し、これを各液晶パネルに出力する。
【００５５】
＜３．応用例＞
（１）応用例１
上述した遮断回路１００は、無効とされる入力端子を内部回路と接続しないようにしたが、有効とされる入力端子は内部回路に接続されるので、当該入力端子に接続される接続ケーブルを介して不要輻射ノイズが外部に漏れ出ることになる。ところで、有効とされる入力端子を内部回路に接続するのは、そこから供給される入力信号に基づいて画像を表示するためである。したがって、有効とされる入力端子に入力信号が供給されないのであれば、この入力端子を内部回路と接続する必要はない。この応用例は、この点に着目してなされたものであり、有効とされる入力端子に接続される接続ケーブルから漏れ出る不要輻射ノイズを削減するものである。
【００５６】
応用例１に係る制御回路４００は、入力信号の有無を検出し、この検出結果と上述した制御信号ＣＴＬ１〜ＣＴＬ４に基づいて、各入力端子ＣＮ１〜ＣＮ４に供給する制御信号ＣＴＬ１’〜ＣＴＬ４’を生成するようになっている。
【００５７】
例えば、入力端子ＣＮ４に係る制御回路４００は、図９に示すように構成すればよく、図に示すように当該制御回路４００は、入力検出回路４１０とアンド回路４２０とを備えている。
【００５８】
入力検出回路４１０は、信号線Ｌ１とグランド線ＧＮＤ１とに接続されており、そこに供給される複合映像信号Ｖの入力レベルを検出し、検出結果に基づいて入力レベルが予め定められた基準レベルを上回ればＨレベルとなり、入力レベルが基準レベルを下回ればＬレベルとなる検出信号Ｄを生成するように構成されている。より詳細には、バッファを介して信号線Ｌ１と接続されるローパスフィルタと、ローパスフィルタの出力信号（入力レベル）が正入力端子に供給されるとともに負入力端子に基準レベルが供給されるコンパレータとを備え、コンパレータの出力端子から検出信号Ｄを取り出すように入力検出回路４１０を構成すればよい。
【００５９】
このような構成によれば、検出信号Ｄと制御信号ＣＴＬ１がともにＨレベルのときのみ、制御信号ＣＴＬ１’がＨレベルとなり、リレー１１０,１２０が接続状態となる。したがって、入力選択スイッチを操作して入力端子ＣＮ４を有効とした場合であっても、そこに複合映像信号Ｖが供給されない場合には、遮断回路１００によって、入力端子ＣＮ４は内部回路と接続されないことになる。このため、複合映像信号Ｖの有無に応じて接続ケーブルＣ４を切り離すことができるので、接続ケーブルＣ４を介して放射される不要輻射ノイズを削減することができる。しかも、接続ケーブルＣ４を介して複合映像信号Ｖが供給されるようになれば、自動的に入力端子ＣＮ４を内部回路に接続することができる。
【００６０】
（２）応用例２
上述した実施形態にあっては、図１０（ａ）に示すように入力端子ＣＮ１と出力端子ＯＵＴとを並列に接続するとともに、入力端子ＣＮ１を遮断回路１００に接続するようにした。ここで、出力端子ＯＵＴは、入力端子ＣＮ１に供給されるアナログＲＧＢ信号RGB1を、接続ケーブルＣ５を介してモニタＭに供給するためのものであり、入力端子ＣＮ１を有効としない場合にもモニタＭを用いて画像を見るために用いられる。次に、図１０（ｂ）に示すように入力端子ＣＮ１と出力端子ＯＵＴの出力側に遮断回路１００を設け、遮断回路１００の出力側で、両者の配線を接続するようにしてもよい。この場合には、入力端子ＣＮ１が有効とされない場合に出力端子ＯＵＴに接続される接続ケーブルＣ５を遮断することができるから、図１０（ａ）に示すものと比較して接続ケーブルＣ５から放射される不要輻射ノイズを低減することが可能となる。
【００６１】
また、図１０（ｃ）に示すように、入力端子ＣＮ１を遮断回路１００のみと接続し、遮断回路１００の出力側と出力端子ＯＵＴを接続するようにしてもよい。この場合には、接続ケーブルＣ５から放射される不要輻射ノイズは低減することができないものの、接続ケーブルＣ１から放射される不要輻射ノイズを削減することができ、しかも有効となった入力端子に供給される画像をモニタＭで見ることができる。
【００６２】
＜４．実施形態の効果＞
本実施形態によれば、以下の効果を奏する。
【００６３】
（１）遮断回路１００は、入力端子ＣＮ１〜ＣＮ４の内どの端子を有効にするかを指示する制御信号ＣＴＬ１〜ＣＴＬ４に基づいて、有効とする端子を内部回路と接続し、無効とする端子を内部回路と遮断するので、遮断回路１００の後段にノイズが流入したり飛び込んだとしても無効とされた端子に接続された接続ケーブルＣ１〜Ｃ４から漏れ出る不要輻射ノイズを大幅に削減できる。
【００６４】
さらに、遮断回路１００は、各入力端子ＣＮ１〜ＣＮ４に近接して背面パネルの内周に設けられているから、各入力端子ＣＮ１〜ＣＮ４から遮断回路１００までの配線距離は極めて短い。したがって、当該配線に飛び込むノイズは殆どないので、無効とされた端子に接続される接続ケーブルＣ１〜Ｃ４を介して放射される不要輻射ノイズを殆どなくすことができる。
【００６５】
（２）遮断回路１００によって、各入力端子ＣＮ１〜ＣＮ４と選択回路２００とを分離するようにしたので、信号線にノイズフィルタを設ける必要がない。したがって、ノイズの周波数帯域と信号の周波数帯域とが重複していたり、あるいは両者が近接している場合であっても、ノイズフィルタの特性による信号劣化が原理的に起こらない。この結果、ビデオプロジェクタＰＪは、解像度が高く鮮明な画像をスクリーンＳに表示することができる。
【００６６】
（３）遮断回路１００として、リレーを使用する場合（上述した第１および第３の態様）には、その結合容量値が極めて小さいので、遮断特性を向上させることが可能である。また、遮断回路１００として、トランジスタ等のスイッチング素子を使用する場合（上述した第２および第４の態様）には、遮断回路１００を小型化するとともに低コストで製造することができる。
【００６７】
＜５．変形例＞
本発明は上述した実施形態に限定されるものではなく、例えば、以下に述べる各種の変形が可能である。
【００６８】
（１）上述した実施形態にあっては、情報処理装置としてビデオプロジェクタＰＪを一例として取り上げ説明したが、本発明はこれに限定されるものではなく、複数の入力信号を選択して画像を表示するテレビモニタ、複数の入力信号を選択して画像を記録再生する画像信号記録再生装置、あるいは、複数の入力信号を選択して画像処理を施す画像処理装置（エフェクタ）等であってもよい。また、入力信号は、アナログ信号のみならずデジタル信号であってもよい。要は、複数の入力情報を選択して情報処理を施す情報処理装置であれば、どのようなものにも適用することができる。
【００６９】
（２）また、遮断回路１００として、電子回路を使用する例として上述した第２および第４の態様ではダイオードを用いたが、本発明はこれに限定されるものではなく、トランジスタ等のスイッチング素子を用いて遮断部１００を構成するようにしてもよい。
【００７０】
【発明の効果】
以上説明したように本発明よれば、複数の入力情報が供給される複数の入力端子を備えた情報処理装置において、各入力端子は信号線とグランド線とを備えており、入力端子の直後に設けられた遮断回路では、入力端子を内部回路と遮断する際に、少なくとも信号線を遮断するようにしたので、接続ケーブルから放射される不要輻射ノイズを大幅に削減することが可能となる。さらに、ノイズフィルタを用いる場合と比較して高品質の入力情報を内部に取り込むことが可能となる。
【図面の簡単な説明】
【図１】  本発明に係る情報処理装置の一例であるビデオプロジェクタを用いた画像表示システムのブロック図である。
【図２】  同実施形態にかかるビデオプロジェクタの機械的な構成例を示す平面図である。
【図３】  同実施形態にかかるビデオプロジェクタの電気的な構成の主要部を示すブロック図である。
【図４】  第１の態様にかかる遮断回路の回路図である。
【図５】  第２の態様にかかる遮断回路の回路図である。
【図６】  第３の態様にかかる遮断回路の回路図である。
【図７】  第４の態様にかかる遮断回路の回路図である。
【図８】  同実施形態にかかる制御信号の切換動作を示すタイミングチャートである。
【図９】  同実施形態の応用例１に係る制御回路のブロック図である。
【図１０】  同実施形態の応用例２において、入力端子ＣＮ１と出力端子ＯＵＴとの接続例を示す図である。
【図１１】  従来のビデオプロジェクタにおける内部配線の概略を示す模式図である。
【図１２】  入力端子の信号線とグランド線にノイズフィルタを挿入した構成例を示す回路図である。
【図１３】  実際のノイズフィルタの特性を示す図である。
【符号の説明】
１００……遮断回路（遮断部）
２００……選択回路（内部回路）
３００……画像処理回路（内部回路）
４００……制御回路（制御部）
１１０,１２０,１５０……リレー
ＣＴＬ１〜ＣＴＬ４,ＣＴＬ……制御信号（選択情報,制御情報）
ＣＴＬ１'〜ＣＴＬ４'……制御信号（制御情報）
ＰＪ……プロジェクタ（情報処理装置）
ＣＮ１〜ＣＮ４……入力端子
Ｃ１〜Ｃ５……接続ケーブル
RGB1,RGB2……アナログＲＧＢ信号（入力情報）
Ｙ,Ｃ……輝度信号,色信号（入力情報）
Ｖ……複合映像信号（入力情報）
【図１】
0003968906.tif 000002
【図２】
0003968906.tif 000003
【図３】
0003968906.tif 000004
【図４】
0003968906.tif 000005
【図５】
0003968906.tif 000006
【図６】
0003968906.tif 000007
【図７】
0003968906.tif 000008
【図８】
0003968906.tif 000009
【図９】
0003968906.tif 000010
【図１０】
0003968906.tif 000011
【図１１】
0003968906.tif 000012
【図１２】
0003968906.tif 000013
【図１３】
0003968906.tif 000014